(57)【要約】 【課題】  照明器具の器材コストの軽減を図り、さらに天井下地材の加工を省略して照明設備の施工手間を軽減するとともに天井下地材の廃材量を低減することを目的とする。【解決手段】  グリッド状に配設されている天井下地材２に照明器具６を設置してなる照明設備において、照明器具６は、安定器１４が備えられた第１の照明器具７と安定器１４に導線２７を介して接続された第２の照明器具８とから構成され、第１の照明器具７および第２の照明器具８は、対向する天井下地材２の間に配置されている箱形状のケース９、１０内にそれぞれ収納され、ケース９、１０の両端は、対向する天井下地材２にそれぞれ取り付けられている。【選択図】      図２
2005294099.tif 000002
【特許請求の範囲】
【請求項１】
グリッド状に配設されている天井下地材に照明器具を設置してなる照明設備において、
前記照明器具は、安定器が備えられた第１の照明器具と該安定器に導線を介して接続された第２の照明器具とから構成され、前記第１の照明器具および前記第２の照明器具は、対向する前記天井下地材の間に配置されている箱形状のケース内にそれぞれ収納され、該ケースの両端は、対向する前記天井下地材にそれぞれ取り付けられていることを特徴とする照明設備。
【請求項２】
請求項１記載の照明設備において、
前記ケースの側面には、遮光ルーバーを取り外し自在に取り付けるノックアウト孔が形成されていることを特徴とする照明設備。
【請求項３】
請求項１または２記載の照明設備において、
前記ケースには、前記天井下地材の下方と上方とを連通する空調リターン口が形成されていることを特徴とする照明設備。
【発明の詳細な説明】
【技術分野】
【０００１】
本発明は、グリット状の天井（以下、グリット天井と記す。）に照明器具を設けてなる照明設備に関する。
【背景技術】
【０００２】
従来、グリット天井に照明設備を設けるため、グリット天井の天井下地材に照明器具を取り付けている。この場合、照明器具には天井下地材の間隔よりも長いものが使用されており、例えば、６００ｍｍ×６００ｍｍのグリット天井に、長さ１２００ｍｍ、Ｈｆ３２Ｗ×２灯用の照明器具が使用される。このような照明器具によれば、単位面積当りの照明器具の台数を少なくでき、また器具単価は安価であるため、照明計画において最も低コストとなる（例えば、特許文献１参照。）。
【特許文献１】特開２００３−７１１９号公報  （第２−３頁、第１図）
【発明の開示】
【発明が解決しようとする課題】
【０００３】
しかしながら、上記した従来の照明設備によると、照明器具を設置する際に照明器具の中間部に干渉する天井下地材を切断するなどの加工が必要であり、フレキシビリティに欠けるという問題が存在する。また、照明器具を移設する際には、移設先の天井下地材を加工するのみならず、それまで照明器具が設置されていた天井下地材を修復することが必要であり、その作業には相当の手間がかかるという問題が存在する。さらに、天井下地材を加工することによって、天井下地材の廃材が発生するという問題が存在する。
【０００４】
本発明は、上記した問題が考慮されたものであり、照明器具の器材コストの軽減を図り、さらに天井下地材の加工を省略して照明設備の施工手間を軽減するとともに天井下地材の廃材量を低減することができる照明設備を提供することを目的とする。
【課題を解決するための手段】
【０００５】
請求項１記載の発明は、グリッド状に配設されている天井下地材に照明器具を設置してなる照明設備において、前記照明器具は、安定器が備えられた第１の照明器具と該安定器に導線を介して接続された第２の照明器具とから構成され、前記第１の照明器具および前記第２の照明器具は、対向する前記天井下地材の間に配置されている箱形状のケース内にそれぞれ収納され、該ケースの両端は、対向する前記天井下地材にそれぞれ取り付けられていることを特徴としている。
【０００６】
このような特徴により、第１の照明器具に備えられた安定器によって、第１の照明器具のみならず、第２の照明器具の電流も制限して電流増加を防止するため、第１の照明器具および第２の照明器具は、長期的に安定した放電（点灯）がそれぞれなされる。また、第１の照明器具および第２の照明器具を収納するケースは対向する天井下地材の間に配置されているため、第１の照明器具および第２の照明器具を設置する際に天井下地材を加工する必要はない。
【０００７】
請求項２記載の発明は、請求項１記載の照明設備において、前記ケースの側面には、遮光ルーバーを取り外し自在に取り付けるノックアウト孔が形成されていることを特徴としている。
【０００８】
このような特徴により、ノックアウト孔に必要に応じて遮光ルーバーを取り付けられる。
【０００９】
請求項３記載の発明は、請求項１または２記載の照明設備において、前記ケースには、前記天井下地材の下方と上方とを連通する空調リターン口が形成されていることを特徴としている。
【００１０】
このような特徴により、天井下地材の下方の空気は、空調リターン口から天井下地材の上方に流入される。
【発明の効果】
【００１１】
以上説明した本発明に係る照明設備によれば、第１の照明器具に備えられた安定器によって、第２の照明器具の電流が制限され電流増加は防止され、長期的に安定した放電（点灯）がなされるため、第２の照明器具には安定器は省略され、コストダウンを図る事ができる。また、第１の照明器具および第２の照明器具を収納するケースは対向する天井下地材の間に配置されているため、第１の照明器具および第２の照明器具を設置する際に天井下地材を加工する必要はなく、照明設備の新設時および移設時における作業手間は軽減することができる。さらに、照明設備の設置に伴い天井下地材は加工しないため、天井下地材の廃材量を低減することができる。
【発明を実施するための最良の形態】
【００１２】
以下、本発明に係る照明設備の実施の形態について、図面に基いて説明する。図１は、図示せぬ居室内のグリット天井１を見上げた状態を表す天井伏図である。図１に示すように、グリット天井１は、グリット状に配設されたＴバーからなる天井下地材２と、天井下地材２に取り付けられた正方形天井パネル３および長方形天井パネル４とから構成されている。グリット天井１は幅（図１における左右方向）６．０ｍ又は６．４ｍ、長さ（図１における上下方向）１４．４ｍ又は１５．３６ｍの長方形に形成されており、天井下地材２は縦横６００ｍｍ又は６４０ｍｍ間隔でそれぞれ設けられており、正方形天井パネル３は６００ｍｍ×６００ｍｍ又は６４０ｍｍ×６４０ｍｍのものが使用され、長方形天井パネル４は２２５ｍｍ若しくは２４０ｍｍ×６００ｍｍのもの又は２２５ｍｍ×６４０ｍｍのものが使用されている。
【００１３】
グリット天井１には、図示せぬ居室内を照らす照明設備５が設けられている。照明設備５は複数の照明器具６から構成されており、複数の照明器具６は天井１の長さ方向に間隔をあけて二列六台で配列されている。この照明器具６は正方形天井パネル３で２０枚分（７．２平方メートル又は８．１９２平方メートル）のグリット天井１に１台設置されており、図示せぬ居室は照明器具６によって所定の照度が確保される。また、照明器具６の両側には、長方形天井パネル４が配置されており、長方形天井パネル４は天井下地材２に取り付けられている。
【００１４】
図２は、照明器具６を表す平面図である。図２に示すように、照明器具６は縦に配列された第１の照明器具７と第２の照明器具８とから構成されている。第１の照明器具７は箱形状の第１のケース９内に収納されており、第２の照明器具８は箱形状の第２のケース１０内に収納されている。第１の照明器具７が収納された第１のケース９と第２の照明器具８が収納された第２のケース１０とは、対向する天井下地材２の間であって、天井下地材２で形成された正四角形状の天井下地枠１１内の中央にそれぞれ配置されている。
【００１５】
図３（ａ）は第１の照明器具７の長辺方向の断面図であり、図３（ｂ）は第１の照明器具７の短辺方向の断面図である。図２、図３（ａ）、図３（ｂ）に示すように、第１の照明器具７には、水銀アーク放電によって発生する紫外線を蛍光物質にあてて発光させる第１の蛍光ランプ１２と、第１の蛍光ランプ１２を支持する第１のソケット１３と、第１の蛍光ランプ１２に流れる電流を制限して放電の安定性を確保する安定器１４と、第１の蛍光ランプ１２の明るさを連続的に増減調節する図示せぬ調光器に接続されている調光端子台１５と、図示せぬ電源に接続されている電源端子台１６とが備えられている。第１のケース９内の第１の蛍光ランプ１２の上方にはグレア防止を考慮した深型の反射板１７が配置されており、ソケット１３と安定器１４、調光端子台１５と安定器１４、および電源端子台１６と安定器１４とは、第１の導線１８によってそれぞれ接続されている。
【００１６】
また、図３（ａ）に示すように、第１の蛍光ランプ１２の下方には、映り込みを軽減するとともに適度な明るさを作り出す遮光ルーバー１９が配置されている。遮光ルーバー１９には長辺方向に延在する羽板状の格子１９ａが連続的に設けられている。第１のケース９の短辺側の両側面下部には、遮光ルーバー１９の端部が取り外し自在に掛けられるノックアウト孔２０がそれぞれ形成されている。また、図３（ｂ）に示すように、第１のケース９の長辺側の両側面上部および第１のケース９の上面には、グリット天井１の下方の図示せぬ居室内とグリット天井１の上方の天井裏とを連通する空調リターン口２１がそれぞれ形成されている。
【００１７】
図２に示すように、第２の照明器具８には、第２の蛍光ランプ２２と、第２の蛍光ランプ２２を支持する第２のソケット２３と、第２のソケット２３に接続されている端子台２４と、接続コネクタ２５とがそれぞれ備えられている。端子台２４と接続コネクタ２５とは第２の導線２６を介して接続されており、接続コネクタ２５は第３の導線２７を介して安定器１４に接続されている。第２のケース１０内には、上記した第１のケース９と同様に図示せぬ反射板が設けられ、また、第２のケース１０の側面には図示せぬノックアウト孔が形成され、このノックアウト孔には第２の蛍光ランプ２１の下方に配置される図示せぬ遮光ルーバーが取り付けられており、さらに、第２の照明器具８には図示せぬ空調リターン口が形成されている。
【００１８】
第１の蛍光ランプ１２および第２の蛍光ランプ２２は、高効率、高光束、高寿命のＦＨＰ４５Ｗ管が使用されている。具体的な性能は、光束は４３５０ｌｍであって、Ｈｆ１６Ｗ管（２１００ｌｍ）やＨｆ２４Ｗ（１７７０ｌｍ）の約２．０倍の性能があり、寿命は１２０００時間であって、Ｈｆ１６Ｗ管（８５００時間）やＨｆ２４Ｗ（９０００時間）に約１．４倍長持ちするものである。
【００１９】
また、図４（ａ）に示すように、第１のケース９の短辺側の両側面には、外側に張り出されて先端が下方に屈曲されている第１の取付部２８がそれぞれ付設されている。第１の取付部２８は天井下地材２の上部に掛けられており、第１のケース９は対向する天井下地材２の間に架設されている。
【００２０】
図４（ａ）は第１のケース９および第２のケース１０が天井下地材２に取り付けられている状態を表す平面図であり、図４（ａ）は第１のケース９および第２のケース１０が天井下地材２に取り付けられている状態を表す断面図である。図４（ａ）、図４（ｂ）に示すように、第２のケース１０の短辺側の両側面には、上記した第１のケース９に付設された第１の取付部２８と同様の第２の取付部２９が付設されている。第１の取付部２８は中心軸からずれた位置に配置されており、第２の取付部２９は第１の取付部２８の反対側にずれて配置されている。
【００２１】
次に、上記した構成からなる照明設備５の施工方法について説明する。
【００２２】
まず、図１に示すように、図示せぬ上方スラブから図示せぬ吊りボルトを垂設させて、この吊りボルトの先端に天井下地材２を固定する。天井下地材２は、図示せぬ居室内の上部に６００ｍｍ又は６４０ｍｍの間隔で縦横に配置し、グリット状に配列する。また、図２に示すように、予め、第１のケース９の中に第１の照明器具７を収納するとともに第２のケース１０の中に第２の照明器具８を収納しておく。第１のケース９内に収納された第１のソケット１３と安定器１４、調光端子台１５と安定器１４、および電源端子台１６と安定器１４を第１の導線１８によってそれぞれ接続する。また、第２のケース１０内に収納された第２のソケット２３と端子台２４とを接続するとともに、端子台２４と接続コネクタ２５とを第２の導線２６を介して接続する。
【００２３】
次に、天井下地材２によって形成された天井下地枠１１の中央に第１のケース９を配置するとともに、第１のケース９が配置された天井下地枠１１に隣接する天井下地枠１１の中央に第２のケース１０を配置し、第１のケース９と第２のケース１０とを縦に配列する。図４（ａ）、図４（ｂ）に示すように、第１のケース９および第２のケース１０は、第１の取付部２８および第２の取付部２９を天井下地材２の上部にそれぞれ掛けて対向する天井下地材２の間にそれぞれ架設する。
【００２４】
次に、図２に示すように、第１のケース９内の安定器１４と接続コネクタ２５とを第３の導線２７を介して接続するとともに、図示せぬ電源と電源端子台１６とを接続し、図示せぬ調光器と調光端子台１５とを接続する。そして、第１のケース９および第２のケース１０の両側に長方形天井パネル４を配置し、長方形天井パネル４を天井下地材２に張り付ける。また、第１のケース９および第２のケース１０が配置されていないその他の天井下地枠１１に正方形天井パネル３を張り付けて、グリット天井１を形成する。
【００２５】
次に、第１のソケット１３に第１の蛍光ランプ１２を取り付けるとともに、第２のソケット２３に第２の蛍光ランプ２２を取り付ける。そして、第１のケース９および第２のケース１０の下面に遮光ルーバー１９を配置し、遮光ルーバー１９をノックアウト孔２０に取り付ける。
【００２６】
上記した構成からなる照明設備５によれば、第１の照明器具７に備えられた安定器１４は、第３の導線２７を介して第２の照明器具８に接続されているため、第２の照明器具８に安定器を備える必要はなく、第２の照明器具８は第１の照明器具７に備えられた安定器１４によって電流が制限され電流増加は防止される。これによって、第２の照明器具８の器材費用は安価となり、照明設備５のコストを軽減することができる。
【００２７】
また、第１のケース９および第２のケース１０は、天井下地枠１１内に配置されているため、第１の照明器具７および第２の照明器具８を設置する際に天井下地材２を加工する必要はない。さらに、施工後の間仕切り変更に伴い第１の照明器具７および第２の照明器具８を移設する際も、移設先の天井下地材２を加工する必要がなく、第１の照明器具７および第２の照明器具８が設置されていた天井下地枠１１には加工をせずに正方形天井パネル３が張り付けられる。これによって、照明設備５の新設時および移設時の天井下地材２を加工する手間は省略され、天井下地材２の廃材を出さずに施工することができる。
【００２８】
また、遮光ルーバー１９はノックアウト孔２０に取り外し可能に設けられているため、第１の蛍光ランプ１２や第２の蛍光ランプ２２を交換する時など、必要に応じて遮光ルーバー１９を取り外すことができる。また、第１のケース９および第２のケース１０には空調リターン口２１が形成されているため、グリット天井１下の図示せぬ居室内の空気は、遮光ルーバー１９の格子１９ａの間から第１のケース９や第２のケース１０の中に流入し、空調リターン口２１からグリット天井１上の天井裏に流入する。これによって、グリット天井１下の図示せぬ居室内の空気を循環させることができる。
【００２９】
以上、本発明に係る照明設備の実施の形態について説明したが、本発明は上記した実施の形態に限定されるものではなく、その趣旨を逸脱しない範囲で適宜変更可能である。例えば、上記した実施の形態では、第１の照明器具７と第２の照明器具８とを連続的に縦に配列しているが、本発明は、図５に示すように、第１の照明器具１００と第２の照明器具１０１とを等間隔に配設してもよい。図５では、グリット天井１０２は幅７．２ｍ又は７．６８ｍ、長さ１４．４ｍ又は１５．３６ｍの長方形に形成されており、天井下地材１０３は縦横６００ｍｍ又は６４０ｍｍの間隔でそれぞれ設けられている。この場合、第１の照明器具１００または第２の照明器具１０１のうちいずれか一方は、正方形天井パネル１０４（６００ｍｍ×６００ｍｍ又は６４０ｍｍ×６４０ｍｍ）９枚分の範囲毎に１台配置される。
【００３０】
また、上記した実施の形態では、第１のケース９および第２のケース１０は天井下地枠１１の中央に設けられているが、本発明は、図６（ａ）に示すように、天井下地枠２００の端部に第１のケース２０１または第２のケース２０２のいずれか一方を配置してもよく、図６（ｂ）に示すように、天井下地枠２００の両端部に第１のケース２０１および第２のケース２０２をそれぞれ配置してもよく、図６（ｃ）に示すように、天井下地枠２００の中央部に第１のケース２０１および第２のケース２０２をそれぞれ配置してもよく、図６（ｄ）に示すように、天井下地枠２００に第１のケース２０１および第２のケース２０２を２台づつ並べて設けてもよい。
【００３１】
また、上記した実施の形態では、第１の取付部２８は中心軸からずれた位置に配置され、第２の取付部２９は第１の取付部２８の反対側にずれて配置されているが、本発明は、図７に示すように、天井下地材３００の上部に掛けられる第１の取付部３０１または第２の取付部３０２のうちのいずれか一方を第１のケース３０３および第２のケース３０４の中心軸に合わせて配置し、他方を中心軸の両側に配置してもよい。
【００３２】
また、上記した実施の形態では、１台の第１の照明器具７に対して１台の第２の照明器具８を設置し、安定器１４は第３の導線２７を介して第２の照明器具８に接続されているが、本発明は、１台の第１の照明器具に対して複数台の第２の照明器具を設置し、第１の照明器具に備えられた安定器は複数の導線を介して複数台の第２の照明器具に接続させてもよい。
【図面の簡単な説明】
【００３３】
【図１】本発明に係る照明設備の実施の形態を表す天井伏図である。
【図２】本発明に係る照明設備の実施の形態を表す平面図である。
【図３】（ａ）は本発明に係る照明設備の実施の形態を表す照明器具の長辺方向の断面図であり、（ｂ）は本発明に係る照明設備の実施の形態を表す照明器具の短辺方向の断面図である。
【図４】（ａ）は本発明に係る照明設備の実施の形態を表す部分平面図であり、（ｂ）は本発明に係る照明設備の実施の形態を表す部分断面図である。
【図５】本発明に係る照明設備のその他の実施の形態を表す天井伏図である。
【図６】本発明に係る照明設備のその他の実施の形態を表す断面図である。
【図７】本発明に係る照明設備のその他の実施の形態を表す部分平面図である。
【符号の説明】
【００３４】
２  天井下地材
５  照明設備
６  照明器具
７  第１の照明器具
８  第２の照明器具
９  第１のケース（ケース）
１０  第２のケース（ケース）
１４  安定器
１９  遮光ルーバー
２０  ノックアウト孔
２１  空調リターン口
２７  第３の導線（導線）
【図１】
2005294099.tif 000003
【図２】
2005294099.tif 000004
【図３】
2005294099.tif 000005
【図４】
2005294099.tif 000006
【図５】
2005294099.tif 000007
【図６】
2005294099.tif 000008
【図７】
2005294099.tif 000009